(57)【要約】【課題】  解決しようとする問題点は、緊急時の盾の操作を簡易化することにより、警報器が誤作動を起こしやすくなる点であり、通常時には警報器が誤作動を起こすのを防ぎ、また、多様な場所に盾を備え付けることができるとともに着脱が容易で緊急時に迅速に盾を装着して身を守ることができる簡易で安価な構成の護身用盾を提供することを目的とする。【解決手段】  板状の盾本体に上下方向の差込口を形成し、これに保持具の先端を差し込んで盾本体を起立姿勢に保持するとともに、盾本体と保持具の相対的な変位を検出する変位センサを設け、この変位センサを盾本体に備える警報器に接続し、盾本体を持って差込口より保持具を抜いたとき、前記変位センサにより警報器を作動するようにした。【選択図】図１
2006189204.tif 000002
【特許請求の範囲】
【請求項１】
板状の盾本体に上下方向の差込口を形成し、これに保持具の先端を差し込んで盾本体を起立姿勢に保持するとともに、盾本体と保持具の相対的な変位を検出する変位センサを設け、この変位センサを盾本体に備える警報器に接続し、盾本体を持って差込口より保持具を抜いたとき、前記変位センサにより警報器を作動するようにしてなる護身用盾。
【請求項２】
前記変位センサはマグネット式であって、前記保持具にマグネットを取付け、このマグネットを前記盾を保持具に装着した状態で盾本体に取付けた警報器と近接させてなる請求項１記載の護身用盾。
【発明の詳細な説明】
【技術分野】
【０００１】
本発明は、小売店の店頭や家庭の玄関などに備え付けておき、暴漢等の攻撃から身を守るとともに周囲に危険を報せるための小型の護身用盾に関する。
【背景技術】
【０００２】
近年の犯罪の多発、凶悪化にともなって防犯意識が高まってきており、小売店や各家庭でも店頭や玄関などに備え付けておける小型の盾が用いられるようになった。こういった盾には、周囲に危険を報せるためのアラーム機能や、暴漢を怯ませたり撃退するための催涙スプレー噴射機能等が取付けられている。また、機能性だけでなく装飾性も工夫され、一見して盾とはわからないような状態で玄関に備え付けたり、チラシなどを挟んで表示した状態で備え付けておくことができるタイプのものもある。
【０００３】
本出願人によって、このようなアラーム付きの盾について、すでに特許出願がなされている（特許文献１）。この盾は警報器を備え、盾を構えて警報器のスイッチを入れることで警報器が作動して大音量のアラーム音が鳴るものであった。しかし、緊急時には警報器のスイッチを入れるような余裕がない場合も考えられる。
【０００４】
このような状況に対応して、通常時に盾を備え付けておく保持具から盾を取外すことで警報器が作動するようにしたものも出願されている（特許文献２）。この盾は、盾本体とは別体の保持部に立てかけておく構成になっており、盾を保持部から取り外すと保持部に設けられたスイッチによって警報手段が作動する。
【０００５】
しかし、このように立てかけておくだけの保持具では、盾に物がぶつかるなどして、盾が誤って保持部から外れてしまった場合でも警報手段が作動してしまい不都合である。また、机台上にしか保持することができないため盾の備え付け場所が限定されてしまい、店舗のレジなどの狭い場所では盾を置くスペースが確保できないし、一般家庭などでも設置する場所が限定されてしまうのは不便であった。
【特許文献１】特開平２００４−２９３８４５号公報
【特許文献２】特開平２００４−２９３９０９号公報
【発明の開示】
【発明が解決しようとする課題】
【０００６】
解決しようとする問題点は、緊急時の盾の操作を簡易化することにより、警報器が誤作動を起こしやすくなる点であり、通常時には警報器が誤作動を起こすのを防ぎ、また、多様な場所に盾を備え付けることができるとともに着脱が容易で緊急時に迅速に盾を装着して身を守ることができる簡易で安価な構成の護身用盾を提供することを目的とする。
【課題を解決するための手段】
【０００７】
上記課題を解決するために、請求項１記載のごとく、板状の盾本体に上下方向の差込口を形成し、これに保持具の先端を差し込んで盾本体を起立姿勢に保持するとともに、盾本体と保持具の相対的な変位を検出する変位センサを設け、この変位センサを盾本体に備える警報器に接続し、盾本体を持って差込口より保持具を抜いたとき、前記変位センサにより警報器を作動するようにした。
【０００８】
請求項２記載のごとく、前記変位センサはマグネット式であって、前記保持具にマグネットを取付け、このマグネットを前記盾を保持具に装着した状態で盾本体に取付けた警報器と近接させた。
【発明の効果】
【０００９】
請求項１記載のごとく、盾本体に差込口を形成して、この差込口に保持具の先端を差込んで盾を起立姿勢に保持するとともに変位センサを設けて盾本体に備える警報器に接続したことにより、差込口に保持具の先端を差込んでいるため、盾が保持具に対して左右にずれたりせず警報器が誤作動を起こすことを防ぐことができるとともに盾本体の着脱が容易に行えて防御者が緊急時に迅速に盾を装備して警報器を作動させることができ、さらに、保持具は差込口に差込める先端を備えていればよく、簡易な構成で済み安価である。
【００１０】
請求項２記載のごとく、変位センサをマグネット式で構成したことにより、盾本体に警報器を取付け、この盾本体を保持具に装着した状態で警報器と近接するように保持具にマグネットを取付けておけばよく、簡易な構成で変位センサを形成することができる。
【発明を実施するための最良の形態】
【００１１】
以下、図１乃至図６を参照して本発明に係る護身用盾について詳細に述べる。まず、護身用盾１の基本構成について図１乃至図３を参照して説明する。
【００１２】
図１は護身用盾１の裏側斜視図である。護身用盾１は、盾本体２と取っ手３とホルダ４と保持具６ａ及び盾本体２を持上げることによる保持具６ａとの相対的な位置の変化を感知する変位センサを構成する警報器５とマグネット７とからなる。
【００１３】
盾本体２は、数ｍｍの厚さを有するポリカーボネートなどの耐衝撃性部材により形成される。盾本体２をポリカーボネートにより形成した場合には、５ｍｍ程度の厚さでも優れた耐衝撃性を示すとともに防刃性を有する。さらに、厚さを８ｍｍ程度にしたものは防弾性を有する。
【００１４】
この盾本体２の表側は、鏡面状に加工したり、チラシ等の広告を盾本体２と透明プレートとの間に挟み込んでボルトで留めたり、鏡面加工したプレートをボルトで留めて一体型のスタンドパネルやミラーパネルに形成してもよい。
【００１５】
図１では盾本体２の裏側に左右一対の取っ手３を備えているが、取っ手３は盾本体２の中央部に一つだけ設けてもよいし、盾本体２に上腕部を固定するアームホルダを設けたり、３つ以上の取っ手３を設けてもよい。この取っ手３は市販の一般的なものを使用することができる。
【００１６】
ホルダ４を盾本体２の裏側下部に留めネジ２６によって固定し、盾本体２とホルダ４との間に差込口１１を形成する。この差込口１１に保持具６ａの先端を差込んで盾本体２は起立姿勢に保持される。
ホルダ４にはスイッチ１０を備えた警報器５を取付け、保持具６ａにはマグネット７を取付けて変位センサを形成する。
【００１７】
図２は護身用盾１の裏側下部を示す斜視図であり、盾１の保持部の実施態様を示している。
保持具６ａは板状体を側面視略Ｌ字型に折曲して形成された卓上型で、台座部１２と、台座部１２の一端辺から起立した差込部１３とからなる。差込部１３は保持具６ａの先端に設けられ、先端に向かって細くなるように形成されている。この差込部１３を盾本体２に形成した差込口１１に挿入して、盾本体２を机台上に起立姿勢で保持する。
本図では、差込部１３は先端の角を削って台形状に形成しているが、例えば図３に示すように、先端の角を緩やかな曲線状に形成してもよい。
【００１８】
以上が護身用盾１の基本構成であり、警報器５は以下に述べるごとく動作する。
ホルダ４に取付けられた警報器５と保持具６ａに取付けられたマグネット７とは、盾本体２を保持具６ａに装着した状態で近接しているため警報器５は作動しないが、盾本体２を持上げて保持具６ａから外すと警報器５とマグネット７とが離反し、この相対的な位置の変化を変位センサが感知して警報器５が作動する。
【００１９】
上記のごとく構成した護身用盾１は以下のような効果を奏す。
盾本体２に形成した差込口１１に保持具６ａに形成した差込部１３を挿入して机台上に保持しているため、盾本体２が保持具６ａから外れたり左右にずれたりしないため、誤って警報器５とマグネット７が離反して警報器５が誤作動を起こすことがない。さらに、盾本体２と保持具６ａとは差込口１１に差込部１３を差込んで装着されているため、着脱が簡易で迅速に行なうことができる。
また、盾本体２の表側と透明シートとの間にチラシ等を挟み込んでボルト等でとめる構成であっても、表側の四隅に突出したボルト等が邪魔にならずに保持することができる。
【００２０】
次に、保持具の第２の実施形態について図４乃至図５を参照して説明する。図４は保持具の第２の実施形態を示す斜視図である。
保持具６ｂは卓上・壁掛け共用型で、板状体を折曲して側面視略Ｕ字型に形成され、台座部１２と、台座部１２の一端辺から起立した差込部１３及び他端辺から起立した懸架部１４とからなる。懸架部１４の上部には左右に一対の留め孔１６を設ける。この留め孔１６は、保持具６ｂをピン１７などを用いて壁面等に固定するためのものである。
【００２１】
図５は保持具の第２の実施形態の実施態様を示す側面図である。
本図において保持具６ｂは、留め孔１６にピン１７を刺して壁面に固定され、差込部１３を差込口１１に挿入して盾本体２を保持する。保持具６ｂの台座部１２にはマグネット７が取付けられ、盾本体２を保持具６ｂに装着した状態で盾本体２のホルダ４に取付けられた警報器５が、このマグネット７に近接する。
【００２２】
本実施態様において、盾本体２は表側を表示するように保持されており、盾本体２を保持具６ｂから取外しやすくするために、盾本体２の裏側の上部に取っ手３を横設している。
また、盾本体２を差込部１３と懸架部１４との間に位置するようにして差込口１１に差込部１３を差込んで、盾本体２の裏側を表示するように保持してもよい。この場合、マグネット７は差込部１３の外側下部に取付けられる。
【００２３】
本実施形態における保持具６ｂによって保持された護身用盾１は、保持具６ｂが台座部１２だけでなく懸架部１４を備えているため、護身用盾１を机台上に設置することもできるし、保持具６ｂを壁面等に懸架して盾本体２を保持することもでき、必要に応じて盾１を所望の位置に設置することができる。
【００２４】
次に、保持具の第３の実施形態について、図面を参照して説明する。図６は保持具の第３の実施形態の実施態様を示す斜視図である。
保持具６ｃは壁掛け型で、台座部１２と、台座部１２の一端辺側から起立した差込部１３と他端辺側から起立した縦長の懸架部１４とを備えており、この懸架部１４の上端部には扉等の上端面に係合される係合部１５を有する。また、係合部１５には留め孔１６が設けられており、この留め孔１６とピン１７とで扉面や壁面に固定してもよい。
【００２５】
本図において、マグネット７は差込部１３の表側に取付けられており、盾本体２を差込部１３と懸架部１４との間に位置するように差込口１１に保持具６ｃの差込部１３を差込んで、盾本体２の裏側を表側にして保持する構成となっている。また、マグネット７を差込部１３の裏側に取付けて、盾本体２の表側を表側にして保持するようにしてもよい。
【００２６】
本実施形態における保持具６ｃによって保持した護身用盾１は、保持具６ｃが扉等の上端部に係合するための係合部１５を備えているため、戸棚や玄関の靴箱等の扉の上端部に保持具６ｃを係止して護身用盾１を設置することができ、また、係止部１５に留め孔１６を設ければ壁面等に設置することもできるため、盾１をさらに多様な場所に設置することができる。
【００２７】
警報器５が盾本体２に設けられているため、例えば保持具６ａに換えて保持具６ｃによって盾本体２を保持する場合でも、それぞれの保持具６ａ・６ｃにはマグネット７のみを取付けておけばよく、コストがかからずに済む。
また、警報器５はスイッチ１０を有し、盾本体２の移動時には警報機能をオフにすることができて、警報器５が誤作動を起こすおそれがない。
【００２８】
上記したように、護身用盾の第１の実施形態は、盾本体２にホルダ４を取付けて差込口１１を形成したことにより、この差込口１１に差込み可能な差込部１３を有する簡単な構成の保持具６ａ・６ｂ・６ｃのそれぞれによって盾本体２を机台上、壁面及び扉面などの多様な場所に備え付けることができて設置場所を選ばないため、最も着脱しやすい位置に備え付けて緊急時に即座に盾本体２を構えて身を守るとともに警報器５を作動させて周囲に危険を報せることができる。
【００２９】
特に、店舗等の狭いレジカウンター内でも、すぐに手の届く範囲に護身用盾１を設置して、非常時に迅速に盾本体２を構えて身を守るとともに警報器５を作動させて周囲に危険を知らせることができる。
また、差込口１１に差込部１３を差込んで保持する構成のため、誤って盾１に手や足がぶつかっても盾本体２と保持具６ａ・６ｂ・６ｃとの相対位置がずれて警報器５が誤作動を起こすおそれがない。
【００３０】
さらに、警報器５はスイッチ１０を備えており、盾１の設置場所を換える場合に警報器５の警報機能をオフにして、盾１の移動中に盾本体２が保持具６ｂから外れても警報器５が鳴動するおそれがない。このことは特に、店舗の狭いレジ内で、日中の忙しい時間帯には盾１を背後の棚等に備え付けておき、夜間にはレジのカウンター上に盾１を備え付けるなど頻繁に備え付け場所を変更する場合に有効な機能である。
【００３１】
また、一般家庭においても、設置場所を選ばないため玄関、寝室や廊下等の適切な場所に設置して緊急時に備えることができる。
【図面の簡単な説明】
【００３２】
【図１】本発明にかかる護身用盾の裏側斜視図。
【図２】護身用盾の保持部を示す斜視図。
【図３】差込部の第２の実施形態を示す斜視図。
【図４】保持具の第２の実施形態を示す斜視図。
【図５】保持具の第２の実施形態の実施態様を示す側面図。
【図６】保持具の第３の実施形態の実施態様を示す斜視図。
【符号の説明】
【００３３】
１      護身用盾
２      盾本体
３      取っ手
４      ホルダ
５      警報器
６ａ    保持具
６ｂ    保持具
６ｃ    保持具
７      マグネット
１０    スイッチ
１１    差込口
１２    台座部
１３    差込部
１４    懸架部
１５    係合部
１６    留め孔
１７    ピン
２６    留めネジ
【図１】
2006189204.tif 000003
【図２】
2006189204.tif 000004
【図３】
2006189204.tif 000005
【図４】
2006189204.tif 000006
【図５】
2006189204.tif 000007
【図６】
2006189204.tif 000008